(57)【要約】【課題】  プロ野球の試合映像を配信する際に、各回毎、かつ、表裏の攻撃毎に、部分的な試合映像の配信を可能とする。【解決手段】  一連の試合映像を、各回毎、かつ、表裏の攻撃毎に分割してWEBサーバ装置4に記憶しておくと共に、各試合の得点表の画面をユーザの携帯電話機6に送信する。そして、この得点表に基づいてユーザにより選択された回の試合映像を、ユーザの携帯電話機6に部分的に配信する。これにより、一連の試合映像のち、ユーザが希望する回の部分的な試合映像のみを視聴可能とすることができる。また、上記得点表の画面のうち、現在の試合進行に対応する得点の表示欄或いはこの表示欄に表示する得点を点滅表示する。これにより、現在の試合の進行状況、攻撃中のチーム及びその得点をユーザが容易に認識可能とすることができる。【選択図】  図1
2007037027.tif 000002
【特許請求の範囲】
【請求項１】
一連のコンテンツを分割することで形成した複数の分割コンテンツが記憶された記憶手段と、
上記記憶手段に記憶されている各分割コンテンツの選択画面を、所定のネットワークを介して端末装置に配信する分割コンテンツ選択画面配信手段と、
上記分割コンテンツ選択画面配信手段により配信された各分割コンテンツの選択画面に基づいて、上記端末装置を介して選択された分割コンテンツを上記記憶手段から読み出し、上記所定のネットワークを介して端末装置に配信する配信手段と
を有するコンテンツ配信装置。
【請求項２】
請求項1に記載のコンテンツ配信装置であって、
コンテンツの音声を優先した配信形態及びコンテンツの映像を優先した配信形態のうち、いずれかの配信形態を選択するための配信形態選択画面を上記端末装置に配信する配信形態選択画面配信手段を有し、
上記配信手段は、上記配信形態選択画面に基づいて上記端末装置を介して選択された配信形態で、上記記憶手段から読み出して分割コンテンツの配信を行うこと
を特徴とするコンテンツ配信装置。
【請求項３】
請求項1又は請求項2に記載のコンテンツ配信装置であって、
上記配信手段は、上記記憶手段に記憶されている分割コンテンツを管理する管理用サーバ装置と、上記管理サーバ装置により上記記憶手段から読み出されて送信される分割コンテンツに対して所定の情報処理を施して上記端末装置に配信する情報処理用サーバ装置とを少なくとも有すること
を特徴とするコンテンツ配信装置。
【請求項４】
請求項1から請求項3のうち、いずれか一項に記載のコンテンツ配信装置であって、
上記記憶手段には、球技の試合映像を、その球技で定められている試合の区切り毎に分割した分割コンテンツが記憶されており、
上記分割コンテンツ選択画面配信手段は、上記球技の得点表の画面を上記分割コンテンツ選択画面として上記端末装置に配信し、
上記配信手段は、上記分割コンテンツ選択画面として配信した上記球技の得点表から、上記端末装置を介して選択された得点に対応する分割コンテンツを上記端末装置に配信すること
を特徴とするコンテンツ配信装置。
【請求項５】
請求項4に記載のコンテンツ配信装置であって、
上記分割コンテンツ選択画面配信手段は、上記分割コンテンツ選択画面として上記端末装置に配信する上記球技の得点表の画面のうち、現在の試合進行に対応する得点の表示欄或いはこの表示欄に表示する得点の表示形態を、該得点表の他の表示欄或いはこの他の表示欄に表示した得点とは異なる表示形態として上記端末装置に配信すること
を特徴とするコンテンツ配信装置。
【請求項６】
請求項5に記載のコンテンツ配信装置であって、
上記記憶手段に記憶されている分割コンテンツは、野球の各回毎、かつ、表裏の攻撃毎に試合映像を分割した分割コンテンツとなっており、
上記分割コンテンツ選択画面配信手段は、野球の各回の表裏の得点を示す得点表の画面を上記分割コンテンツ選択画面として上記端末装置に配信すると共に、この配信する得点表の画面のうち、現在の回の攻撃中のチームの得点の表示欄或いはこの表示欄に表示する得点の表示形態を、該得点表の他の表示欄或いはこの他の表示欄に表示した得点とは異なる表示形態として上記端末装置に配信すること
を特徴とするコンテンツ配信装置。
【請求項７】
請求項6に記載のコンテンツ配信装置であって、
上記分割コンテンツ選択画面配信手段は、上記端末装置に配信する得点表の画面のうち、現在の回の攻撃中のチームの得点の表示欄に表示する該得点が点滅表示されるように上記得点表の画面を形成して上記端末装置に配信すること
を特徴とするコンテンツ配信装置。
【請求項８】
分割コンテンツ選択画面配信手段が、一連のコンテンツを分割することで形成した複数の分割コンテンツが記憶されている記憶手段から所望の分割コンテンツを選択するための選択画面を、所定のネットワークを介して端末装置に配信する分割コンテンツ選択画面配信ステップと、
上記分割コンテンツ選択画面配信ステップにおいて、上記分割コンテンツ選択画面配信手段により配信された各分割コンテンツの選択画面に基づいて、上記端末装置を介して選択された分割コンテンツを、配信手段が上記記憶手段から読み出し、上記所定のネットワークを介して端末装置に配信する分割コンテンツ配信ステップと
を有するコンテンツ配信方法。
【請求項９】
請求項8に記載のコンテンツ配信方法であって、
配信形態選択画面配信手段が、コンテンツの音声を優先した配信形態及びコンテンツの映像を優先した配信形態のうち、いずれかの配信形態を選択するための配信形態選択画面を上記端末装置に配信する配信形態選択画面配信ステップを有し、
上記分割コンテンツ配信ステップでは、上記配信手段が、上記配信形態選択画面に基づいて上記端末装置を介して選択された配信形態で、上記記憶手段から読み出した分割コンテンツの配信を行うこと
を特徴とするコンテンツ配信方法。
【請求項１０】
請求項8又は請求項9に記載のコンテンツ配信方法であって、
上記分割コンテンツ配信ステップでは、上記配信手段が備える管理用サーバ装置により、上記記憶手段に記憶されている分割コンテンツを管理し、上記配信手段が備える情報処理用サーバ装置により、上記管理サーバ装置で上記記憶手段から読み出されて送信される分割コンテンツに対して所定の情報処理を施して上記端末装置に配信すること
を特徴とするコンテンツ配信方法。
【請求項１１】
請求項8から請求項10のうち、いずれか一項に記載のコンテンツ配信方法であって、
上記記憶手段には、球技の試合映像を、その球技で定められている試合の区切り毎に分割した分割コンテンツが記憶されており、
上記分割コンテンツ選択画面配信ステップでは、上記分割コンテンツ選択画面配信手段が、上記球技の得点表の画面を上記分割コンテンツ選択画面として上記端末装置に配信し、
上記分割コンテンツ配信ステップでは、上記配信手段が、上記分割コンテンツ選択画面として配信した上記球技の得点表から、上記端末装置を介して選択された得点に対応する分割コンテンツを上記端末装置に配信すること
を特徴とするコンテンツ配信方法。
【請求項１２】
請求項11に記載のコンテンツ配信方法であって、
上記分割コンテンツ選択画面配信ステップでは、上記分割コンテンツ選択画面配信手段が、上記分割コンテンツ選択画面として上記端末装置に配信する上記球技の得点表の画面のうち、現在の試合進行に対応する得点の表示欄或いはこの表示欄に表示する得点の表示形態を、該得点表の他の表示欄或いはこの他の表示欄に表示した得点とは異なる表示形態として上記端末装置に配信すること
を特徴とするコンテンツ配信方法。
【請求項１３】
請求項12に記載のコンテンツ配信方法であって、
上記記憶手段に記憶されている分割コンテンツは、野球の各回毎、かつ、表裏の攻撃毎に試合映像を分割した分割コンテンツとなっており、
上記分割コンテンツ選択画面配信ステップでは、上記分割コンテンツ選択画面配信手段が、野球の各回の表裏の得点を示す得点表の画面を上記分割コンテンツ選択画面として上記端末装置に配信すると共に、この配信する得点表の画面のうち、現在の回の攻撃中のチームの得点の表示欄或いはこの表示欄に表示する得点の表示形態を、該得点表の他の表示欄或いはこの他の表示欄に表示した得点とは異なる表示形態として上記端末装置に配信すること
を特徴とするコンテンツ配信方法。
【請求項１４】
請求項13に記載のコンテンツ配信方法であって、
上記分割コンテンツ選択画面配信ステップでは、上記分割コンテンツ選択画面配信手段が、上記端末装置に配信する得点表の画面のうち、現在の回の攻撃中のチームの得点の表示欄に表示する該得点が点滅表示されるように上記得点表の画面を形成して上記端末装置に配信すること
を特徴とするコンテンツ配信方法。
【発明の詳細な説明】
【技術分野】
【０００１】
本発明は、例えば高校野球、プロ野球、サッカー、バレーボール、バドミントン、ラグビー、フットボール等の主に球技の試合映像を配信するシステムに用いて好適な映像配信システム及び映像配信方法に関し、特にユーザにより指定された所望のシーンの映像を選択的に配信可能なコンテンツ配信装置及びコンテンツ配信方法に関する。
【背景技術】
【０００２】
特開2003-18579号の公開特許公報（特許文献1）において、ユーザが希望するコンテンツを配信可能なコンテンツ提供方法が開示されている。このコンテンツ提供方法の場合、ユーザの端末を介してコンテンツの配信要求がなされると、コンテンツ提供サーバは、まず、一連の映像からいくつかの所望のシーンを抜粋して形成した簡易的な内容の第2のストリームデータを前記ユーザの端末に送信する。
【０００３】
ユーザは、この第2のストリームデータを再生することで、そのストリームデータが、自分が視聴を希望するストリームデータであるか否かを見極め、完全な内容のコンテンツの視聴を希望する場合には、この完全な内容のコンテンツの配信要求を行う。コンテンツサーバ装置は、この配信要求がなされると、完全な内容のコンテンツをユーザの端末に配信する。
【０００４】
すなわち、このコンテンツ提供方法の場合、ユーザは、最初に視聴する上記第2のストリームデータで、完全な内容のコンテンツを視聴するか否かを判断することができる。これにより、ユーザが希望するコンテンツ（＝上記完全な内容のコンテンツ）を配信可能とすることができる。
【特許文献１】特開2003-18579号公報（第7頁〜第8頁：図6）
【発明の開示】
【発明が解決しようとする課題】
【０００５】
しかし、特許文献1に開示されているコンテンツ提供方法は、上記第2のストリームデータに基づいてユーザにより希望された場合には、この完全な内容のコンテンツが最初から終わりまで全て配信されるようになっている。このため、所望のシーンのみの視聴が困難となる問題があった。
【０００６】
本発明は上述の課題に鑑みてなされたものであり、例えば高校野球、プロ野球、サッカー、バレーボール、バドミントン、ラグビー、フットボール等の主に球技の試合映像を配信し、視聴するシステムにおいて、視聴を希望するコンテンツのうち、さらに希望するシーンのみを選択的に視聴可能としたコンテンツ配信装置及びコンテンツ配信方法の提供を目的とする。
【課題を解決するための手段】
【０００７】
本発明は、一連のコンテンツを分割することで形成した複数の分割コンテンツのうち、所望の分割コンテンツを選択するための選択画面を、所定のネットワークを介して端末装置に配信する。そして、この配信した選択画面に基づいて、上記端末装置を介して分割コンテンツが選択された際に、この選択された分割コンテンツを、上記所定のネットワークを介して端末装置に配信することで、一連のコンテンツのうち、ユーザが希望する部分的なコンテンツの視聴を可能とする。
【０００８】
また、本発明は、コンテンツの音声を優先した配信形態及びコンテンツの映像を優先した配信形態のうち、いずれかの配信形態を選択するための配信形態選択画面を上記端末装置に配信する。そして、この配信形態選択画面に基づいて上記端末装置を介して選択された配信形態で上記分割コンテンツの配信を行うことで、ユーザにより、音声優先或いは映像優先の配信形態の選択を可能とする。
【０００９】
また、本発明は、管理用サーバ装置により上記分割コンテンツの管理を行い、情報処理用サーバ装置により、送信を行う分割コンテンツに所定の情報処理を施して上記端末装置に配信する。これにより、端末装置に対して、情報処理が施された分割コンテンツ等の情報のみが送信されることとなるため、端末装置側でハードウェア的或いはソフトウェア的な情報処理手段を備える必要がなく、端末装置側の情報処理のための負担を軽減することができる。
【００１０】
また、本発明は、球技の試合映像を、その球技で定められている試合の区切り毎に分割した分割コンテンツを形成しておき、上記分割コンテンツ選択画面として球技の得点表の画面を上記端末装置に配信する。そして、この配信した上記球技の得点表から、上記端末装置を介して選択された得点に対応する分割コンテンツを上記端末装置に配信する。これにより、ユーザは得点表を見ながら所望の場面を選択して視聴することができる。
【００１１】
また、本発明は、上記分割コンテンツ選択画面として上記端末装置に配信する上記球技の得点表の画面のうち、現在の試合進行に対応する得点の表示欄或いはこの表示欄に表示する得点の表示形態を、該得点表の他の表示欄或いはこの他の表示欄に表示した得点とは異なる表示形態として上記端末装置に配信する。これにより、現在、試合がどこまで進行したかを、ユーザが容易に認識可能とすることができる。
【００１２】
また、本発明は、上記分割コンテンツとして、野球の各回毎、かつ、表裏の攻撃毎の試合映像を記憶しておく。そして、野球の各回の表裏の得点を示す得点表の画面を上記分割コンテンツ選択画面として上記端末装置に配信すると共に、この配信する得点表の画面のうち、現在の回の攻撃中のチームの得点の表示欄或いはこの表示欄に表示する得点の表示形態を、該得点表の他の表示欄或いはこの他の表示欄に表示した得点とは異なる表示形態として上記端末装置に配信する。これにより、現在の試合の進行状況、攻撃中のチーム及びその得点をユーザが容易に認識可能とすることができる。
【００１３】
また、本発明は、上記端末装置に配信する得点表の画面のうち、現在の回の攻撃中のチームの得点の表示欄に表示する該得点が点滅表示されるように上記得点表の画面を形成して上記端末装置に配信する。これにより、現在の試合の進行状況、攻撃中のチーム及びその得点をユーザが容易に認識可能とすることができる。
【発明の効果】
【００１４】
本発明によれば、プロ野球など主に球技等の試合映像を配信し、視聴する際に、ユーザ操作に基づいて、コンテンツの中から、視聴を希望するシーンのみを選択的に視聴可能とすることができる。
【発明を実施するための最良の形態】
【００１５】
本発明の実施形態について、図面を参照しつつ説明する。本実施形態では、本発明を、プロ野球の試合映像を配信するプロ野球中継システムに適用した場合を例に説明する。
【００１６】
［システム構成］
この本発明の実施の形態となるプロ野球中継システムは、図1に示すように球場における試合映像を撮像するカメラ装置1と、このカメラ装置1により撮像された映像に対して所定のエンコード処理を施してネットワーク上に送信するエンコードサーバ装置2と、当該システムを構成する各サーバ装置や接続回線の保守、管理を行うIDCサーバ装置3（IDC：Internet Data Center）と、当該システムを端末装置側で利用可能とするためのアプリケーションプログラムや、各日に行われた試合映像等が記憶されたWEBサーバ装置4とを有している。
【００１７】
また、このプロ野球中継システムは、WEBサーバ装置4に記憶されている試合映像等の情報を配信する際に、この配信する情報に対して所定の情報処理を施して配信するASPサーバ装置5（ASP：Active サーバ Pages）と、上記ASPサーバ装置5から上記アプリケーションプログラムや試合映像等のコンテンツの配信を受ける携帯電話機6とを有している。
【００１８】
そして、上記カメラ装置1〜携帯電話機6を、インターネット8等の公衆回線網、上記携帯電話機6の通信事業者が管理する通信事業者網9、及びこの通信事業者網9に接続された複数の基地局7を介して、それぞれ相互に有線的或いは無線的に接続することで、当該プロ野球中継システムが形成されている。
【００１９】
［システム動作］
次に、このような構成を有するプロ野球中継システムのシステム動作を説明する。
【００２０】
（試合映像の記憶）
WEBサーバ装置4に記憶されている試合映像は、1試合分の試合映像を一連の試合映像とし、この一連の試合映像が、各回毎、かつ、表裏の攻撃毎にそれぞれ分割されて記憶されている。
【００２１】
具体的には、カメラ装置1で試合映像が撮像されるのであるが、この試合映像は、エンコードサーバ装置2により所定のエンコード処理が施されインターネット8を介してFTP転送（FTP：File Transfer Protocol）される。このFTP転送された試合映像は、IDCサーバ装置3により確保された接続回線を介してWEBサーバ装置4に転送され、このWEBサーバ装置4により、各回毎、かつ、表裏の攻撃毎にそれぞれ分割されて記憶される。これにより、後述するように一連の試合映像の中から、ユーザにより選択された回の試合映像のみを配信することが可能となる。
【００２２】
なお、この例では、一連の試合映像を、予め、各回毎、かつ、表裏の攻撃毎にそれぞれ分割してWEBサーバ装置に記憶することとしたが、これは、一連の試合映像に対して、マークを付し、或いはフラグを立てる等により、各回及び表裏の攻撃を判別可能な状態として記憶してもよい。この場合でも、一連の試合映像の中から、ユーザにより選択された回の試合映像のみを配信することが可能となる。
【００２３】
（アプリケーションプログラムのダウンロード）
次に、このプロ野球中継システムを利用しようとするユーザは、図1に示す自分の携帯電話機6を当該システム側のWEBサーバ装置4に接続し、システム利用料の課金先となる銀行口座の口座番号、住所、氏名等を入力してユーザ登録を行うと共に、当該システムを利用するためのアプリケーションプログラムのダウンロードを行う。
【００２４】
図2のフローチャートに、このユーザ登録、アプリケーションプログラムのダウンロード、及びダウンロードしたアプリケーションプログラムに基づいて所望の試合映像が配信されるまでの流れを示す。
【００２５】
このフローチャートは、ユーザが自分の携帯電話機6を介してWEBサーバ装置4にアクセスすることでスタートとなり、ステップS1から処理を開始する。ステップS1では、WEBサーバ装置4が、例えば図3（a）に示すようなトップページの画面をASPサーバ装置5に送信し、このASPサーバ装置5からユーザの携帯電話機6に上記トップページの画面が転送されて処理がステップS2に進む。
【００２６】
一例ではあるが、この図3（a）からわかるように上記トップページの画面は、「野球の画像」及び「ベースボールチームHの文字」により、当該WEBページがベースボールチームHのホームページであることを示しており、このWEBページの中央部下に「スタート」の文字を表示することで、当該WEBページの「入口」を示している。
【００２７】
ユーザは、このWEBページを閲覧する場合、上記トップページで表示されている「スタート」の文字を選択操作するのであるが、この選択操作がなされると、WEBサーバ装置4は、図3（b）に示すようなメニューの選択画面をASPサーバ装置5を介してユーザの携帯電話機6に送信する。
【００２８】
一例ではあるが、この図3（b）に示すメニューの選択画面は、このプロ野球中継システムの「サービス概要」、このプロ野球中継システムの「利用規約」、このプロ野球中継システムを利用するための「アプリケーションプログラムのダウンロード（アプリケーションダウンロード）」、及びこのプロ野球中継システムに関する各種「問い合わせ」の各メニューが表示されるようになっている。
【００２９】
図2に示すフローチャートのステップS2では、WEBサーバ装置4が、この各メニューの中からアプリケーションプログラムのダウンロードが選択されたか否かを判別する。そして、ユーザにより、アプリケーションプログラムのダウンロードが選択された場合、WEBサーバ装置4は、ステップS3において、ユーザ登録用の画面をASPサーバ装置5を介してユーザの携帯電話機6に送信し、このユーザ登録が正常に終了した際に、このプロ野球中継システムを利用するためのアプリケーションプログラムをASPサーバ装置5を介してユーザの携帯電話機6に送信する。
【００３０】
詳細に説明すると、このプロ野球中継システムの場合、携帯電話機6にアプリケーションプログラムをダウンロードする行為は、最初の1回のみとなっており、携帯電話機6にアプリケーションプログラムがダウンロードされた後は、当該アプリケーションプログラムを起動すると自動的にシステムにログインして、所望の試合映像の選択画面（或いは上記トップページでもよい。）が表示されるようになっている。このため、最初にアプリケーションプログラムをダウンロードする際に、ユーザ登録を行い、このユーザ登録が正常に終了したユーザに対してのみ、このプロ野球中継システムを利用するためのアプリケーションプログラムのダウンロードを許可することとしている。
【００３１】
ユーザ登録は、ユーザが携帯電話機6を操作してシステム利用料の課金先となる銀行口座の口座番号、住所、氏名等をWEBサーバ装置4に送信し、WEBサーバ装置4がこのユーザ情報をユーザデータベースに登録することで完了する。WEBサーバ装置4は、ユーザデータベースに対するユーザ情報の登録が完了すると、そのユーザに対してユーザ識別番号（ユーザID）を発行し、図2に示すフローチャートのステップS3において、このユーザIDと共に、このプロ野球中継システムを利用するためのアプリケーションプログラムを、上記ASPサーバ装置5を介してユーザの携帯電話機6に送信する。
【００３２】
ユーザの携帯電話機6は、このダウンロードされたユーザID及びアプリケーションプログラムを所定のメモリに記憶しておき、以下に説明するように、ユーザにより起動操作がなされた際に該アプリケーションプログラムを起動して当該システムにログインすることとなる。
【００３３】
（試合映像の配信）
次に、ユーザは、このプロ野球中継システムにより所望の試合映像を閲覧する場合、上述のようにダウンロードしたアプリケーションプログラムを起動操作する。この起動操作がなされると、ユーザの携帯電話機6は、メモリに記憶されているアプリケーションプログラムに基づいて、当該アプリケーションプログラムと共にダウンロードしたユーザIDをメモリから読み出し、これをWEBサーバ装置4に送信してプロ野球中継システムに対するログイン要求を行う。
【００３４】
図2のフローチャートのステップS4では、WEBサーバ装置4が、このログイン要求の有無に基づいて、携帯電話機6側でアプリケーションプログラムが起動されたか否かを判別しており、ユーザの携帯電話機6からログイン要求があり、アプリケーションプログラムが起動されたと判別したタイミングで処理をステップS5に進める。
【００３５】
ステップS5では、WEBサーバ装置4が、ユーザの携帯電話機6から送信されたユーザIDに基づいてユーザデータベースを参照してユーザ認証処理を行う。そして、このユーザ認証処理結果をASPサーバ装置5に送信する。
【００３６】
ASPサーバ装置5は、ステップS6において、このWEBサーバ装置4から送信されるユーザ認証処理結果に基づいて、現在、ログイン要求をしているユーザは正規のユーザであるか否かを判別する。そして、正規のユーザではないと判別した場合、ステップS10において、当該システムに対するログインが許可されないことを示すエラーメッセージを、そのユーザの携帯電話機6に送信し、この図2に示すフローチャートの処理を終了する。
【００３７】
これに対して、ステップS6において、現在、ログイン要求をしているユーザは正規のユーザであると判別した場合、WEBサーバ装置4は、例えば図3（c）に示すような所望の試合映像の大まかな選択画面を、ASPサーバ装置5を介してユーザの携帯電話機6に送信する。この図3（c）からわかるように、所望の試合映像の大まかな選択画面は、試合が行われた「日付」と、当該ホームページのチームであるベースボールチームHの「対戦チーム」とを示す画面となっている。
【００３８】
ユーザは、この選択画面に基づいて携帯電話機6を操作することで、所望の日付及び対戦チームの試合映像を選択する。WEBサーバ装置4は、ユーザにより所望の日付及び対戦チームの試合映像が選択されると、この選択情報を一旦記憶しておき、次に、図3（d）に示す配信形態を選択するための画面を携帯電話機6に送信する。このシステムの場合、試合映像を「音声優先」で配信するか、或いは「画像優先」で配信するかを、ユーザが任意に選択可能となっている。一例ではあるが、ユーザにより「音声優先」の配信が選択された場合、約1秒間に6コマのかたちの映像及び音声とされた試合映像が配信され、ユーザにより「画像優先」の配信が選択された場合、音声は配信されず、或いは音声のデータ量が極力少ないデータ量とされ、代わりに例えば約1秒間に12コマ等のように映像のデータ量を多くしたかたちの試合映像が配信されるようになっている。
【００３９】
WEBサーバ装置4は、ユーザにより所望の配信形態が選択されると、この配信形態を示す情報を一旦記憶し、先にユーザにより選択された日付及び対戦チームの試合映像に対応する得点表（スコアボード）の画像を、そのユーザの携帯電話機6に送信する。
【００４０】
図3（e）及び図3（f）に、ユーザの携帯電話機6に表示される上記得点表の一例を示す。図3（e）の得点表は、7月2日に行われたベースボールチームGとの対戦結果を示す得点表を示しており、図3（f）の得点表は、当日、7月5日に行われているベースボールチームYとの試合経過を示す得点表を示している。すなわち、図3（e）の得点表は過去の対戦結果を、図3（f）の得点表は現在行われている試合の試合経過を示している。
【００４１】
ここで、ASPサーバ装置5は、現在、行われている試合に対応する得点表を表示する場合、携帯電話機6側で表示される現在、攻撃中のチームの回の得点の「表示欄」或いは「得点」が、他の「表示欄」或いは「得点」とは異なる表示形態で表示されるように、携帯電話機6に送信する得点表の画像に画像処理を施して該携帯電話機6に送信する。
【００４２】
一例ではあるが、ASPサーバ装置5は、現在、攻撃中のチームの回の得点の「表示欄」或いは「得点」が、携帯電話機6側で点滅表示され、又は高輝度で表示され、或いは他の「表示欄」或いは「得点」とは異なる表示色で表示されるように、携帯電話機6に送信する得点表の画像に画像処理を施して該携帯電話機6に送信する。
【００４３】
図3（f）に示す例で説明すると、現在、試合は5回の表まで進行しており、攻撃中のチームはベースボールチームHであるため、ASPサーバ装置5は、この5回の表にベースボールチームHが得点した「2」点の文字、或いはこの5回表のベースボールチームHの得点の表示欄を、上述のように点滅表示等されるように得点表の画像に画像処理を施して携帯電話機6に送信する。これにより、ユーザに対して、現在、試合が進行している回やその得点等を認識させ易くすることができる。
【００４４】
次に、ユーザは、携帯電話機6に表示される、このような得点表に基づいて、試合映像の視聴を希望する回を指定操作する。例えば、図3（e）に示す過去の試合において、ベースボールチームHが2点を得点した8回の裏の攻撃の試合映像を視聴したい場合、ユーザは、この8回の裏の攻撃の試合映像の視聴を指定し、或いは図3（f）に示す現在、行われている試合において、ベースボールチームHが2点を得点した5回の表の攻撃の試合映像を視聴したい場合、ユーザは、この5回の表の攻撃の試合映像の視聴を指定する。
【００４５】
WEBサーバ装置4は、図2のフローチャートのステップS7において、ユーザの携帯電話機6から、このような所望の試合映像の指定がなされたか否かを判別しており、所望の試合映像の指定がなされたタイミングで処理をステップS8に進める。
【００４６】
ステップS8では、WEBサーバ装置4が、上述のように予め、各回毎、かつ、表裏の攻撃毎にそれぞれ分割して記憶されている試合映像の中から、ユーザにより指定された回の試合映像を読み出してASPサーバ装置5に送信する。ASPサーバ装置5は、この試合映像を、上述のようにユーザにより選択された配信形態（音声優先或いは画像優先）となるように情報処理し、これをユーザの携帯電話機6にHTTP送信する（HTTP：HyperText Transfer Protocol）。これにより、ユーザが選択した配信形態で、例えば上記ベースボールチームHが2点を得点した8回の裏の攻撃の試合映像や、ベースボールチームHが2点を得点した5回の表の攻撃の試合映像等を視聴することができる。
【００４７】
WEBサーバ装置4は、当該システムにユーザがログインすると、ステップS9に示すようにユーザからログオフの指定がなされたか否かを監視し続け、ログオフが指定されるまでは、上述のようにユーザにより指定された試合映像を配信し、ログオフが指定されたタイミングで、この図2のフローチャートに示す処理を終了する。
【００４８】
［実施の形態の効果］
以上の説明から明らかなように、この実施の形態のプロ野球中継システムは、一連の試合映像を、各回毎、かつ、表裏の攻撃毎に分割してWEBサーバ装置4に記憶しておくと共に、各試合の得点表の画面をユーザの携帯電話機6に送信する。そして、この得点表に基づいてユーザにより選択された回の試合映像を、ユーザの携帯電話機6に部分的に配信する。これにより、一連の試合映像のち、ユーザが希望する回の部分的な試合映像のみを視聴可能とすることができる。
【００４９】
また、この試合映像の音声を優先した配信形態及び試合映像の映像を優先した配信形態のうち、いずれかの配信形態を選択するための選択画面を携帯電話機6に送信し、ユーザにより携帯電話機6を介して、この選択画面に基づいて選択された配信形態で上記部分的な試合映像の配信を行うことで、ユーザが希望する配信形態で上記試合映像の配信を可能とすることができる。
【００５０】
また、WEBサーバ装置4により各試合映像の管理を行い、ASPサーバ装置5により、送信を行う試合映像や得点表の画像等に所定の情報処理を施してユーザの携帯電話機6に配信するようになっている。このため、携帯電話機6には、情報処理が施された状態で上記試合映像や得点表の画像等が送信されることとなるため、携帯電話機6側でハードウェア的或いはソフトウェア的に情報処理を行う必要がなく、携帯電話機6側の情報処理のための負担を軽減することができる。
【００５１】
また、上記得点表の画面のうち、現在の試合進行に対応する得点の表示欄或いはこの表示欄に表示する得点の表示形態を、該得点表の他の表示欄或いはこの他の表示欄に表示した得点とは異なる表示形態として上記携帯電話機6に配信する。これにより、現在の試合の進行状況、攻撃中のチーム及びその得点をユーザが容易に認識可能とすることができる。
【００５２】
なお、上述の実施の形態の説明では、本発明をプロ野球中継システムに適用することとしたが、本発明は、この他、高校野球、サッカー、バレーボール、バドミントン、ラグビー、フットボール等の主に球技の試合映像を中継するシステムに適用してもよい。
【００５３】
また、携帯電話機6で試合映像の配信を受けることとしたが、これは、PHS電話機（PHS：Personal Handyphone System）、PDA装置（PDA：Personal Digital Assistant），ノート型のパーソナルコンピュータ装置、据え置き型のパーソナルコンピュータ装置等の他の端末装置で試合映像の配信を受けるようにしてもよい。
【図面の簡単な説明】
【００５４】
【図１】本発明を適用した実施の形態となるプロ野球中継システムのブロック図である。
【図２】実施の形態のプロ野球中継システムの試合映像の配信動作の流れを示すフローチャートである。
【図３】実施の形態のプロ野球中継システムにおける、ユーザの携帯電話機6側で表示される画像の表示例を示す図である。
【符号の説明】
【００５５】
1…カメラ装置
2…エンコードサーバ装置
3…IDCサーバ装置
4…WEBサーバ装置
5…ASPサーバ装置
6…携帯電話機
7…基地局
8…インターネット（公衆回線網）
9…通信事業者網
【図１】
2007037027.tif 000003
【図２】
2007037027.tif 000004
【図３】
2007037027.tif 000005